(57)【特許請求の範囲】
【請求項１】
コネクタを充電対象に接続する操作説明を示した領域Ａ、充電を開始するためのスタートボタンを操作する操作説明を示した領域Ｂ、充電状況を表示する表示器が配置された領域Ｃ、前記コネクタを前記充電対象から取り外す操作説明を示した領域Ｄ、及び充電動作を中止する中止ボタンを操作する操作説明を示した領域Ｅが設けられ、前記領域Ａ、前記領域Ｂ、前記領域Ｃ、及び前記領域Ｄが、第１の方向に並んで配置され、前記領域Ｅが、前記領域Ｃの前記第１の方向とは異なる第２の方向の側に隣接して配置されている操作器を備え、
前記領域Ｂに前記スタートボタンが配置され、
前記領域Ｅに前記中止ボタンが配置され、
前記スタートボタン及び前記中止ボタンが、該充電装置の設置面から予め決められた高さ範囲に配置されている充電装置。
【請求項２】
請求項１記載の充電装置において、
前記第１の方向は、前記操作器を操作する操作者から見て左から右へ向かう方向である充電装置。
【請求項３】
請求項１又は２記載の充電装置において、
前記第２の方向は、前記操作者から見て上から下へ向かう方向である充電装置。
【請求項４】
請求項１記載の充電装置において、
前記第１の方向は、前記操作器を操作する操作者から見て上から下へ向かう方向である充電装置。
【請求項５】
請求項２〜４のいずれか１項に記載の充電装置において、
前記表示器は、第１の表示領域に前記充電状況に関する情報を表示し、
前記第１の表示領域とは異なる第２の表示領域に前記操作者に対する注意事項を表示する充電装置。
【請求項６】
請求項５記載の充電装置において、
前記第１及び第２の表示領域のうち、一方の背景色は白であり、他方の背景色は黒である充電装置。
【請求項７】
請求項５記載の充電装置において、
前記第１の表示領域の背景色と前記第２の表示領域の背景色とは、補色の関係にある充電装置。
【請求項８】
請求項５〜７のいずれか１項に記載の充電装置において、
前記第１の表示領域は、前記第２の表示領域の上側に配置される充電装置。
【請求項９】
請求項５〜７のいずれか１項に記載の充電装置において、
前記第１の表示領域は、前記第２の表示領域の左側に配置される充電装置。
【請求項１０】
請求項１〜９のいずれか１項に記載の充電装置において、
前記領域Ｄの右側の上部に充電動作を非常停止するための非常停止ボタンが配置された充電装置。
【請求項１１】
第１の方向に並んで配置され、装置の操作説明を手順ごとに表示した複数の第１の領域と、
前記第１の方向とは異なる第２の方向に隣接して配置され、前記操作を中止するための操作説明を表示した第２の領域と、が設けられた操作器であって、
前記複数の第１の領域のうち、操作ボタンの操作を行う操作説明を示す前記第１の領域に該操作ボタンが配置され、
前記第２の領域に前記操作を中止するための中止ボタンが配置され、
前記操作ボタン及び前記中止ボタンが予め決められた高さ範囲に配置されている操作器。
【請求項１２】
請求項１１記載の操作器を備えた装置。
【発明の詳細な説明】
【技術分野】
【０００１】
本発明は、充電装置及び操作器に関する。
【背景技術】
【０００２】
特許文献１（意匠公報）には、カードシステムによる全自動専用充電スタンドが記載されている。ユーザが磁気カード挿入口にカードを挿入すると、操作案内板に運転状態を示すディスプレーが表示され、ユーザは、その表示された操作順に従って運転・停止釦を押す。運転釦が押されると充電が開始され、停止釦が押されると充電が完了し（充電スタンドの運転終了）、レシート取出口より運転結果レシートが出力される。
【先行技術文献】
【特許文献】
【０００３】
【特許文献１】意匠登録第９１９４５１号公報
【発明の概要】
【発明が解決しようとする課題】
【０００４】
本発明は、誤操作される可能性が低減された充電装置及び操作器を提供することを目的とする。
【課題を解決するための手段】
【０００５】
前記目的に沿う第１の発明に係る充電装置は、コネクタを充電対象に接続する操作説明を示した領域Ａ、充電を開始するためのスタートボタンを操作する操作説明を示した領域Ｂ、充電状況を表示する表示器が配置された領域Ｃ、前記コネクタを前記充電対象から取り外す操作説明を示した領域Ｄ、及び充電動作を中止する中止ボタンを操作する操作説明を示した領域Ｅが設けられ、前記領域Ａ、前記領域Ｂ、前記領域Ｃ、及び前記領域Ｄが、第１の方向に並んで配置され、前記領域Ｅが、前記領域Ｃの前記第１の方向とは異なる第２の方向の側に隣接して配置されている操作器を備え、
前記領域Ｂに前記スタートボタンが配置され、
前記領域Ｅに前記中止ボタンが配置され、
前記スタートボタン及び前記中止ボタンが、該充電装置の設置面から予め決められた高さ範囲に配置されている。
【０００６】
【０００７】
【０００８】
第１の発明に係る充電装置において、前記第１の方向を、前記操作器を操作する操作者から見て左から右へ向かう方向とすることができる。
【０００９】
第１の発明に係る充電装置において、前記第２の方向を、前記操作者から見て上から下へ向かう方向とすることができる。
【００１０】
第１の発明に係る充電装置において、前記第１の方向を、前記操作器を操作する操作者から見て上から下へ向かう方向とすることができる。
【００１１】
第１の発明に係る充電装置において、前記表示器は、第１の表示領域に前記充電状況に関する情報を表示し、
前記第１の表示領域とは異なる第２の表示領域に前記操作者に対する注意事項を表示することが好ましい。
【００１２】
第１の発明に係る充電装置において、前記第１及び第２の表示領域のうち、一方の背景色を白とし、他方の背景色を黒とすることができる。
【００１３】
第１の発明に係る充電装置において、前記第１の表示領域の背景色と前記第２の表示領域の背景色とを、補色の関係にすることができる。
【００１４】
第１の発明に係る充電装置において、前記第１の表示領域を、前記第２の表示領域の上側に配置することができる。
【００１５】
第１の発明に係る充電装置において、前記第１の表示領域を、前記第２の表示領域の左側に配置することができる。
【００１６】
第１の発明に係る充電装置において、前記領域Ｄの右側の上部に充電動作を非常停止するための非常停止ボタンが配置されることが好ましい。
【００１７】
前記目的に沿う第２の発明に係る操作器は、第１の方向に並んで配置され、装置の操作説明を手順ごとに表示した複数の第１の領域と、
前記第１の方向とは異なる第２の方向に隣接して配置され、前記操作を中止するための操作説明を表示した第２の領域と、が設けられた操作器であって、
前記複数の第１の領域のうち、操作ボタンの操作を行う操作説明を示す前記第１の領域に該操作ボタンが配置され、
前記第２の領域に前記操作を中止するための中止ボタンが配置され、
前記操作ボタン及び前記中止ボタンが予め決められた高さ範囲に配置されている。
【００１８】
【００１９】
前記目的に沿う第３の発明に係る装置は、第２の発明に係る操作器を備えた装置である。
【発明の効果】
【００２０】
本発明に係る充電装置及び操作器においては、本発明の構成を有さない場合と比較して、誤操作される可能性を低減することが可能である。
【図面の簡単な説明】
【００２１】
【図１】本発明の一実施の形態に係る充電装置の使用状態を示す説明図である。
【図２】同充電装置が有するスタンド部の斜視図である。
【図３】同充電装置が有するスタンド部の正面図である。
【図４】同充電装置が有するスタンド部の右側面図である。
【図５】同充電装置が有するスタンド部の左側面図である。
【図６】同充電装置が有するスタンド部の背面図である。
【図７】同充電装置が有するスタンド部の平面図である。
【図８】同充電装置が有するスタンド部の底面図である。
【図９】同充電装置が有するスタンド部のフリースペースの第１の活用方法を示す説明図である。
【図１０】同充電装置が有するスタンド部のフリースペースの第２の活用方法を示す説明図である。
【図１１】同充電装置が有するスタンド部のフリースペースの第３の活用方法を示す説明図である。
【図１２】同充電装置が有するスタンド部のフリースペースの第４の活用方法を示す説明図である。
【図１３】同充電装置が有するスタンド部のフリースペースの第５の活用方法を示す説明図である。
【図１４】同充電装置に設けられた操作器の正面図である。
【図１５】同充電装置に設けられた操作器の表示画面の説明図である。
【図１６】同充電装置に設けられた操作器の表示画面の説明図である。
【発明を実施するための形態】
【００２２】
続いて、添付した図面を参照しつつ、本発明を具体化した実施の形態につき説明し、本発明の理解に供する。なお、各図において、説明に関連しない部分は図示を省略する場合がある。
【００２３】
本発明の一実施の形態に係る操作器５０が設けられた充電装置（装置の一例）１０は、図１及び図２に示すように、例えば電気自動車（充電対象の一例）１２に搭載されるバッテリを充電することができる。この充電装置１０は、既存のガソリンスタンドのみならず、例えば、コンビニエンスストア等の店舗や駐車場に設置することも可能である。充電装置１０の設置場所は、屋内であっても屋外であっても良い。
【００２４】
充電装置１０は、電源部２０及びスタンド部３０を備えている。
電源部２０は、スタンド部３０とは離れた場所に設置される。電源部２０は、商用電源を電力変換し、充電に必要な電力をスタンド部３０に供給することができる。
【００２５】
スタンド部３０は、電源部２０から供給された電力を、そのまま電気自動車１２等に供給することができる。
スタンド部３０は、図２〜図８に示すように、ベース部３２、突出部３４、及び先端に充電コネクタ（コネクタの一例）３６が取り付けられた充電ケーブル３８を有している。
【００２６】
ベース部３２は、設置面から上方へ延びている。ベース部３２の下部には、例えば２本の支柱４０（図３及び図６参照）が設けられている。
突出部３４は、予め決められた高さ位置にてベース部３２に固定される。突出部３４は、前方斜め上を向く上面板４２ａ及び前方斜め下を向く下面板４２ｂによって少なくとも構成され、前方に突出している。即ち、突出部３４は、図５に示すように、左側面から見ると三角形状であり、前方に向かうに従って上下方向の幅（上面板４２ａと下面板４２ｂとの間の距離）が減少する。上面板４２ａと下面板４２ｂが接する先端部分は、丸く形成されている。先端部分が丸く形成されていることによって、操作者の怪我が防止される。
【００２７】
突出部３４の右側端部は、先端が切り欠かれ、切り欠き部が形成されている。この切り欠き部には、図３に示すように、充電コネクタ３６を収納するための収納部４４が設けられている。
突出部３４の上面板４２ａには、充電装置１０を操作（充電操作）するための操作ボタン（例えば、スタートボタン５２ａ及び中止ボタン５２ｂ）が配置された操作器５０が設けられている（図３〜図５、図１４参照）。操作器５０に配置された各操作ボタンは、充電装置１０を使用する操作者の接地面から１０００±２００ｍｍの高さ範囲に入るように配置されている。なお、この高さ範囲は、好ましくは１０００±１５０ｍｍ、更に好ましくは１０００±１００ｍｍとすることができる。操作器５０の操作ボタンをこの範囲に配置することにより、車椅子に乗って充電装置１０を操作する操作者に対しても良好な操作性を提供することができる。
また、充電コネクタ３６も、操作のしやすい高さに設定された突出部３４の右側端部に収納されるので、操作者にとっては扱いやすい充電装置１０となる。
【００２８】
突出部３４の裏側のベース部３２には、図６に示すように、第１の後部扉５４ａが設けられている。この第１の後部扉５４ａを開けることによって、例えば突出部３４の内部に配置された、操作器５０を制御するための制御装置（不図示）を保守することができる。
このように、前方に突出する突出部３４に操作器５０が設けられていることにより、充電装置１０の操作性が向上する。
【００２９】
充電ケーブル３８は、ベース部３２の右側上部から下方へと延びて配置される。充電ケーブル３８の先端の充電コネクタ３６が収納部４４に収納された状態においては、充電ケーブル３８が地面に接触しないように充電ケーブル３８の長さが設定されている。
【００３０】
ここで、正面視して突出部３４よりも上側のベース部３２には、物品を配置するための空間（以下、「フリースペース」という。）ＦＳが形成されている。
このフリースペースＦＳには、充電装置１０の設置者（例えばガソリンスタンド、店舗、及び駐車場のオーナー）が、充電装置１０を使用するユーザに対して訴求力を有する物品を配置することができる。
【００３１】
第１の例として、この物品は前面がガラスによって覆われた掲示板６２ａである（図９参照）。掲示板６２ａにお店の広告を掲示することによって、設置者は、ユーザに対し販売促進を図ることができる。
【００３２】
第２の例として、この物品は情報を表示するモニタ６２ｂである（図１０参照）。モニタ６２ｂに広告、店舗の案内図、周辺地域の観光案内図等を表示することによって、設置者は、ユーザの利便性を図ることができる。
【００３３】
第３の例として、この物品は棚６２ｃである（図１１参照）。フリースペースＦＳに棚６２ｃを配置し、棚６２ｃに例えば観葉植物を飾ることによって、設置者は、店舗イメージを向上させることが可能である。
【００３４】
第４の例として、この物品は商品を展示するショーケース６２ｄである（図１２参照）。充電装置１０の設置者である店舗等のオーナーは、ユーザに対して商品やサービスのＰＲをすることができる。
【００３５】
第５の例として、この物品は非接触型のＩＣカードの情報を読み取る読み取り器６２ｅである（図１３参照）。フリースペースＦＳに読み取り器６２ｅを設けることによって、設置者は、ユーザの利便性を向上させることが可能である。
【００３６】
また、第６の例として、この物品を鏡とすることも可能である。
【００３７】
このように、スタンド部３０に物品を配置するためのフリースペースＦＳが形成されているので、本実施の形態に係る充電装置１０は、設置者にとって、充電機能をユーザに提供すること以外の付加価値を有することとなる。
なお、フリースペースＦＳの背面側のベース部３２には、図６に示すように、第２の後部扉５４ｂが設けられている。
【００３８】
次に、突出部３４の上面板４２ａに設けられた操作器５０について詳細に説明する。
操作器５０は、充電装置１０を操作するためのものである。操作器５０には、図１４に示すように、充電装置１０の各操作手順を示す領域Ａ〜Ｄが順に左から右へ向かう方向（第１の方向の一例）に直線的に並んで配置されている。領域Ａ〜Ｄは、それぞれ枠７０で囲われている。領域Ａ〜Ｄの上端部には、それぞれ操作手順に対応する番号が記されている。また、この番号の右横には、その操作手順の概要が記されている。
【００３９】
領域Ａには、充電コネクタ３６を例えば電気自動車１２等の充電対象に接続するステップ（充電コネクタ３６を電気自動車１２に差し込む内容及び充電コネクタ３６のレバーを操作する内容）が図と共にグループ化されて示されている。
領域Ｂには、充電を開始するためのスタートボタン５２ａ（ハードウェアスイッチ）が配置され、そのスタートボタン５２ａを操作するステップが示されている。
領域Ｃには、充電状況を表示する表示器７２が配置されている。
領域Ｄには、充電コネクタ３６を充電対象から取り外すステップ（充電コネクタ３６のレバーを操作する内容及び充電コネクタ３６を充電対象から外す内容）が図と共にグループ化されて示されている。なお、領域Ｄの右側の上部には、充電動作を非常停止するための非常停止ボタン７４が配置されている。
【００４０】
このように、各操作手順が領域Ａ〜Ｄに表示され、これら領域Ａ〜Ｄが左から右へ向かう方向に直線的に配置されているので、操作者は、操作手順の流れを理解することが容易となる。
ここで、ボタンとそのボタンを操作するステップの表示（操作説明）とが別々の場所に配置されている場合には、操作者は、これらボタンと操作説明との対応関係を理解しなければならない。しかし、本実施の形態に示した操作器５０においては、領域Ｂのように、ボタンとそのボタンを操作するステップの表示が一体的に配置されているので、対応関係の理解は不要となり、直感的な操作が可能となる。
【００４１】
領域Ｃの下側には、領域Ｅが配置されている。この領域Ｅには、充電動作を中止する中止ボタン５２ｂ（ハードウェアスイッチ）が配置され、その中止ボタン５２ｂを操作するステップが示されている。
スタートボタン５２ａは、操作手順に沿って通常操作されるボタンである。しかし、中止操作は例外的な操作であり、中止ボタン５２ｂは操作者が必要な場合に限って使用される。従って、中止ボタン５２ｂは、スタートボタン５２ａとは並ばないように配置されている。
このように、通常使用されない中止ボタン５２ｂを含む領域Ｅが、通常の操作手順を示した領域Ａ〜Ｄの配置方向とは異なる方向（第２の方向の一例であり、本実施の形態においては、上から下へ向かう方向）に配置されているので、操作に不慣れな操作者は領域Ｅが例外的な操作を示すものと認識し、誤操作が低減される。
なお、操作対象となる装置によっては、領域Ａ〜Ｄを上から下へ向かう方向に直線的に配置し、領域Ｃの右側に領域Ｅを配置することも可能である。即ち、第１の方向を、上から下へ向かう方向とし、第２の方向を左から右へ向かう方向とすることができる。
【００４２】
次に、領域Ｃに配置された表示器７２の表示内容について説明する。
表示器７２は、例えばモノクロの液晶パネルである。表示器７２の表示画面７３は図１５及び図１６に示すように、少なくとも第１の表示領域Ｘ１及び第１の表示領域Ｘ１の下側に配置された第２の表示領域Ｘ２で構成されている。
【００４３】
第１の表示領域Ｘ１には、充電状況に関する情報が表示される。この充電状況に関する情報は、例えば図１５に示すように、１）「充電中です。お待ち下さい。残り時間：約１７分」のような文字情報、２）文字情報の右側に表示されるバッテリの充電量を示す図、３）及び上部に表示される充電動作の進捗（「準備中」、「試験中」、「充電中」及び「終了」）を表すステータスである。また、第１の表示領域Ｘ１には、充電装置１０のステータスに応じて、例えば図１６に示す「充電の準備をしています。充電完了までは、約２０分必要です。」のような文字情報が図（グラフ）と共に、充電状況に関する情報として表示される。図１５及び図１６に示すように、第１の表示領域Ｘ１の背景色は、例えば白である。
【００４４】
第２の表示領域Ｘ２には、少なくとも操作者に対する注意事項が表示される。この注意事項は、例えば図１５に示すように、「中止は下の『充電中止』を押してください。」のような内容である。また、第２の表示領域Ｘ２には、充電装置１０のステータスに応じて、例えば図１６に示す「充電中は危険ですので、コネクタ周辺を触らないで下さい。」との注意事項が図と共に表示される。図１５及び図１６に示すように、第２の表示領域Ｘ２の背景色は、例えば黒である。
【００４５】
このように、上下に分割された第１及び第２の表示領域Ｘ１、Ｘ２にそれぞれ充電状況に関する状況及び注意事項が表示されるとともに、第１及び第２の表示領域Ｘ１、Ｘ２の背景色がそれぞれ白及び黒に設定されるので、操作者がその内容を理解しやすく、視認性に優れる。
なお、第１及び第２の表示領域Ｘ１、Ｘ２の背景色を逆に、即ち、第１及び第２の表示領域Ｘ１、Ｘ２の背景色をそれぞれ黒及び白に設定することも可能である。また、モノクロの表示器に代えて、カラーの表示器とすることも可能である。その場合は、第１の表示領域Ｘ１の背景色と第２の表示領域Ｘ２の背景色とを、補色の関係に設定することで、視認性を向上させることが可能である。
また、第１及び第２の表示領域Ｘ１、Ｘ２を上下方向に配置するのではなく、左右方向に配置することも可能である。特に、第１の表示領域Ｘ１を第２の表示領域Ｘ２の左側に配置することができる。
【００４６】
なお、本発明は、前述の実施の形態に限定されるものではなく、本発明の要旨を変更しない範囲での変更は可能である。例えば、前述の実施の形態や変形例の一部又は全部を組み合わせて発明を構成する場合も本発明の技術的範囲に含まれる。
【００４７】
前述の実施の形態における操作器５０は、表示器７２及び複数のボタン（ハードウェアスイッチ）を備えていた。この表示器７２をタッチパネルにすると共に、複数のハードウェアスイッチの少なくとも一部を表示器７２上に表示したボタン（ソフトウェアスイッチ）とすることも可能である。
また、切り欠き部は、突出部３４の左側端部に形成されても良い。
充電ケーブル３８は、ベース部３２の左側上部から下方へと延びるように配置することも可能である。
【符号の説明】
【００４８】
１０：充電装置、１２：電気自動車、２０：電源部、３０：スタンド部、３２：ベース部、３４：突出部、３６：充電コネクタ、３８：充電ケーブル、４０：支柱、４２ａ：上面板、４２ｂ：下面板、４４：収納部、５０：操作器、５２ａ：スタートボタン、５２ｂ：中止ボタン、５４ａ：第１の後部扉、５４ｂ：第２の後部扉、６２ａ：掲示板、６２ｂ：モニタ、６２ｃ：棚、６２ｄ：ショーケース、６２ｅ：読み取り器、７０：枠、７２：表示器、７３：表示画面、７４：非常停止ボタン
【図１】
0005483206.tif 000002
【図２】
0005483206.tif 000003
【図３】
0005483206.tif 000004
【図４】
0005483206.tif 000005
【図５】
0005483206.tif 000006
【図６】
0005483206.tif 000007
【図７】
0005483206.tif 000008
【図８】
0005483206.tif 000009
【図９】
0005483206.tif 000010
【図１０】
0005483206.tif 000011
【図１１】
0005483206.tif 000012
【図１２】
0005483206.tif 000013
【図１３】
0005483206.tif 000014
【図１４】
0005483206.tif 000015
【図１５】
0005483206.tif 000016
【図１６】
0005483206.tif 000017